(57)【要約】【課題】引き出し内の収納空間をうまく活用してゴミ袋を設置し、引き出しの収納空間全体をゴミ収容のために利用可能することにある。【解決手段】食器棚１において、クリップ５６により、開口したゴミ袋の口の周縁の一端を前側フレーム部５４ａへ、開口したゴミ袋の口の周縁の他端を後側フレーム部５４ｂへ各々取り付けることでゴミ袋の口を開口させてゴミ袋の内部空間を確保した状態でゴミ袋を保持する。引き出し部２９は、前後にスライド移動することによって開閉可能であり、引き出し部２９が開いた状態でその左右面が開口しており、クリップ５６によりゴミ袋を取り付けた場合、ゴミ袋の内部空間が引き出し部２９の開閉とともに移動できる。【選択図】図３
2016135706.tif 000002
【特許請求の範囲】
【請求項１】
面に囲まれた内部空間を有する収納部と、
該収納部の内部空間に収容され、上方が開口した収納空間を有する引き出し部と、
該引き出し部に互いに離間した状態で平行に配置された一対のフレーム部と、
該一対のフレーム部に配置され、ゴミの入れ具合により形状が変更できるゴミ袋を保持するためのゴミ袋保持部とを備え、
前記一対のフレーム部は、第一フレーム部と、第二フレーム部とからなり、
前記ゴミ袋保持部により、開口した前記ゴミ袋の口の周縁の一端を前記第一フレーム部へ、開口した前記ゴミ袋の口の周縁の他端を前記第二フレーム部へ各々取り付けることで前記ゴミ袋の口を開口させて前記ゴミ袋の内部空間を確保した状態でゴミ袋を保持し、
前記引き出し部は、前後にスライド移動することによって開閉可能であり、前記引き出し部が開いた状態でその左右面が開口しており、さらに、前記ゴミ袋保持部によりゴミ袋を取り付けた場合、前記ゴミ袋の内部空間が前記引き出し部の開閉とともに移動できる食器棚。
【請求項２】
前記一対のフレーム部は、前記引き出し部に取り付けられ、前記引き出し部の外輪郭の内側に配置されている請求項１に記載の食器棚。
【請求項３】
前記第一フレーム部は、前記引き出し部の前側に配置される前側フレーム部であると共に、前記第二フレーム部は、前記引き出し部の後側に配置される後側フレーム部であり、前記前側フレーム部が前記後側フレーム部より低くなるように配置され、
前記ゴミ袋保持部により開口した前記ゴミ袋の口の周縁の一端を前記前側フレーム部へ、開口した前記ゴミ袋の口の周縁の他端を前記後側フレーム部へ各々取り付けることで、前記ゴミ袋の口を張設しながら、傾斜した状態で保持できる請求項１又は請求項２に記載の食器棚。
【請求項４】
前記ゴミ袋保持部は、前記一対のフレーム部の各フレーム部にゴミ袋を挟んで係合するためのクリップ部材であり、該クリップ部材によってゴミ袋が保持される請求項１乃至請求項３に記載の食器棚。
【発明の詳細な説明】
【技術分野】
【０００１】
本発明は、引き出しを備えた食器棚に関する。
【背景技術】
【０００２】
食器棚は、キッチン等でゴミを捨てる場合、収納効率や意匠性の観点から、食器棚の内部空間を利用してゴミを捨てるためのゴミ箱が配置され、ゴミ箱は外部から見えない状態で配置されることが望ましい。特許文献１の家電ストッカー（収納棚）は、内部空間を有する収納部と、この収納部の下部の内部空間に配置され、収納空間を有するダストボックスワゴンとを備える。ダストボックスワゴンの収納空間はフレーム枠で囲まれており、その内側にゴミ箱が配置されている。このゴミ箱は、少なくとも上部が開口し、箱状に形成されている。このゴミ箱は、箱状に形成された各面が硬い樹脂製の素材で形成されていた。
【先行技術文献】
【特許文献】
【０００３】
【特許文献１】特開２０００−３４４１０９号公報
【発明の概要】
【発明が解決しようとする課題】
【０００４】
しかしながら、上記特許文献１の収納棚は、収納棚の収納空間にゴミ箱を配置する場合、硬質の素材の面で囲まれたゴミ箱を利用しているため、ゴミ箱を設置したとき、ゴミ箱の各面によって、ゴミを収納するための空間部分の広がりが制限されていた。そのため、ゴミ箱とダストボックスワゴンのフレーム枠との間に隙間があいており、その隙間による空間部分がうまく活用できていなかった。
【０００５】
本発明は、上記の問題点を鑑み、本発明が解決しようとする課題は、引き出し内の収納空間をうまく活用してゴミ袋を設置し、引き出しの収納空間全体をゴミ収容のために利用可能することにある。
【課題を解決するための手段】
【０００６】
本発明の食器棚は、面に囲まれた内部空間を有する収納部と、この収納部の内部空間に収容され、上方が開口した収納空間を有する引き出し部と、この引き出し部に互いに離間した状態で平行に配置された一対のフレーム部とを備える。その食器棚は、この一対のフレーム部に配置され、ゴミの入れ具合により形状が変更できるゴミ袋を保持するためのゴミ袋保持部とを備え、一対のフレーム部は、第一フレーム部と、第二フレーム部とからなる。またその食器棚は、ゴミ袋保持部により、開口したゴミ袋の口の周縁の一端を第一フレーム部へ、開口したゴミ袋の口の周縁の他端を第二フレーム部へ各々取り付けることでゴミ袋の口を開口させてゴミ袋の内部空間を確保した状態でゴミ袋を保持する。引き出し部は、前後にスライド移動することによって開閉可能であり、引き出し部が開いた状態でその左右面が開口しており、さらに、ゴミ袋保持部によりゴミ袋を取り付けた場合、ゴミ袋の内部空間が引き出し部の開閉とともに移動できる。
【０００７】
この場合、ゴミ袋の口を開口させてゴミ袋の内部空間を確保しゴミ袋保持部に保持した状態で、引き出し部を開閉した場合、ゴミ袋の内部空間がその開閉と共に移動できるので、引き出し部内の収納空間をうまく活用しながら、様々な形や容積のゴミ袋が配置できる。またフレキシブルに配置可能なゴミ袋が収納空間いっぱいに広げられて、ゴミ袋内の空間部分を確保できる上、引き出しの収納空間全体をゴミ収容のために活用できる。また、引き出し部の左右面とが開口しているため、ゴミ袋が収納空間からさらに左右方向にはみ出して収納空間外部の空間も活用しながら、ゴミを収容できる。
【０００８】
この食器棚では、一対のフレーム部は、引き出し部に取り付けられ、引き出し部の外輪郭の内側に配置されていることが好ましい。この場合、一対のフレーム部が引き出し部の外輪郭の内側に配置されているので、食器棚の内部空間をうまく活用して各フレーム部にゴミ袋を設置できる。
【０００９】
またこの食器棚では、第一フレーム部は、引き出し部の前側に配置される前側フレーム部であると共に、第二フレーム部は、引き出し部の後側に配置される後側フレーム部であり、前側フレーム部が後側フレーム部より低くなるように配置され、ゴミ袋保持部により開口した前記ゴミ袋の口の周縁の一端を前側フレーム部へ、開口したゴミ袋の口の周縁の他端を後側フレーム部へ各々取り付けることで、ゴミ袋の口を張設しながら、傾斜した状態で保持できることが好ましい。
【００１０】
この場合、開口したゴミ袋の口の周縁の他端を後側フレーム部へ各々取り付けることで、ゴミ袋の口を張設しながら、傾斜した状態で保持できるので、食器棚の正面から入れる場合には、前後に張設したゴミ袋の口が安定しており、ゴミ袋にゴミを捨てやすい。
【００１１】
またこの食器棚では、ゴミ袋保持部は、一対のフレーム部の各フレーム部にゴミ袋を挟んで係合するためのクリップ部材であり、このクリップ部材によってゴミ袋が保持されることが好ましい。この場合、クリップ部材によってゴミ袋が保持できるので、さらに、ゴミ袋の口が安定する。
【発明の効果】
【００１２】
本発明によれば、引き出し内の収納空間をうまく活用してゴミ袋を設置し、引き出しの収納空間全体をゴミ収容のために利用できる。
【図面の簡単な説明】
【００１３】
【図１】第１の実施形態に係る食器棚の部分断面正面図である。
【図２】図１に示される食器棚の部分断面側面図である。
【図３】図１及び図２に示される食器棚の引き出し部を示した斜視図である。
【図４】図３に示される引き出し部にゴミ袋を設置した状態で示した斜視図である。
【図５】図３及び図４に示されるスタンドの斜視図である。
【図６】図５に示されるクリップを拡大して示した斜視図である。
【図７】図６に示されるクリップの断面図である。
【図８】第２の実施形態に係るスタンドの斜視図である。
【図９】図８に示されるマグネットクリップを拡大して示した斜視図である。
【図１０】変形例１に係る食器棚の引き出し部の斜視図である。
【図１１】図１０に示される引き出し部の分解斜視図である。
【図１２】変形例２に係る引き出し部の斜視図である。
【図１３】図１２に示される引き出し部の断面図である。
【図１４】クリップの別例を示した斜視図である。
【発明を実施するための形態】
【００１４】
第１の実施形態について説明する。本実施形態の食器棚１は、主に食器を収納するためのものであり、キッチン等に設置されている。なお、各図において示される上下や前後左右の矢印は、食器棚１を正面視で見て、手前側を「前」、奥側を「後」とし、それに応じて上下や左右を示している。
【００１５】
図１及び図２に示される食器棚１は、全体が箱状に形成されており、内部空間を有する。食器棚１は、上部に配置されて、食器等を収納するための上部収納部３と、中間部に配置されて、食器等を置くためのテーブル５と、下部に配置されて、食器等を収納するための下部収納部２を有する。
【００１６】
図１に示される上部収納部３は、食器棚１の上部に形成される内部空間３０を有している。また上部収納部３は、正面視で左右方向にスライドして開閉する引き戸３２と、食器等を載置するための上部収納用底板３４とを備える。引き戸３２は、２つの平板状の部材で形成されている。引き戸３２は、開いた状態で、内部空間３０に通じている。その内部空間３０には、食器等を収納することができる。上部収納用底板３４は、板状に形成された部材である。その上部収納用底板３４の下面は、対向してテーブル５の上面が配置されている。
【００１７】
テーブル５は、図１及び図２に示すように上面視で矩形状に形成された平板の部材である。テーブル５は、食器やその他小物等を配置するためのものである。テーブル５の側端は、上方に向けて配置された側板の壁面７に接続されており、上部収納部３側まで壁面７が連続して形成されている。食器棚１の中間部は、上部収納用底板３４の裏面と、左右両端の壁面７の下部内面と、テーブル５の表（上）面と、テーブル５の後（奥）側の上下方向に面が形成される奥壁面部９との、５面で囲まれており、前（手前）側が開口するようにして配置されている。テーブル５は、下部収納部２の上方向に隣接して配置されている。
【００１８】
下部収納部２は、図１及び図２に示すように、引き出し部２１、２３、２５、２７、２９を備える。下部収納部２のうち、引き出し部２１、２３、２５、２７は、食器等を収納するためのものである。引き出し部２１、２３、２５、２７は、スライド部材（図示しない）を介して前後方向にスライドして開閉可能に形成されている。引き出し部２１、２３、２５、２７は、各引き出し部２１、２３、２５、２７が開いた状態で開口を有しており、箱状に形成されている。引き出し部２１、２３、２５は、上から下へ向けてこの順に配置されている。引き出し部２７は、引き出し部２１の左（横）方向に隣接して配置されている。引き出し部２９は、主にゴミを収納するためのものである。引き出し部２９は、引き出し部２７の下方向に隣接して配置されており、引き出し部２３及び引き出し部２５の左右方向に隣接して配置されている。
【００１９】
引き出し部２９は、図１〜図４に示すようにその外周が、主に面材で構成される。引き出し部２９は、図３に示すように上方（上面）と左右（横）面とが開口し、箱状に形成されている。その開口によって、引き出し部２９が開いた状態で、側面視及び上面視で引き出し部２９の収納空間Ｓが視認可能に形成されている。引き出し部２９は、食器棚１の下部に形成される内部空間２０に収容され、上方が開口した収納空間Ｓを有している。引き出し部２９は、その収納空間Ｓを囲う後面部１２と、前面部１４と、側面部１５、１５と、底面部１９を備える。後面部１２は、その左右両端が側面部１５、１５の後端に隣接して配置されている。前面部１４は、その左右両端が側面部１５、１５の前端に隣接して配置されている。側面部１５、１５は、その前端が前面部１４と隣接して配置され、その後端が後面部１２と隣接して配置されている。底面部１９は、その前端が前面部１４と隣接して配置され、その後端が後面部１２と隣接して配置され、その左右両端が側面部１５、１５と隣接して配置されている。
【００２０】
後面部１２は、図２〜図４に示すように引き出し部２９の後端を形成する部位である。後面部１２は、板状の面材で形成されている。その面材は、その面が垂直方向に立てられた状態で配置されている。後面部１２の上端は、前面部１４の上端よりも低くなるように配置されている。後面部１２は、後面部１２の上端からさらに上方が開方するように配置されている。
【００２１】
前面部１４は、図２〜図４に示すように引き出し部２９の前端を形成する部位である。前面部１４は、垂直に立てられた板状の面材で形成されており、前面部１４の前側（表側）は、引き出し部２９の外観の意匠面を形成している。前面部１４の上端は、引き出し部２７の下端と隣接して配置されている。前面部１４の下端は、食器棚１が載置された設置面に近接して配置されている。前面部１４の上端は、後面部１２の上端よりも高くなるように配置されている。なお前面部１４の上端は、引き出し部２９を開閉するための取っ手１３が設けられている。
【００２２】
側面部１５、１５は、図２〜図４に示すように引き出し部２９の側面を形成する部位である。側面部１５、１５は、棒状の部材で形成される側上部１６と、板状の部材で形成される側下部１８とを備える。側上部１６は、側面部１５、１５の略中央部に配置される部位である。側上部１６は、引き出し部２９の形状を維持し補強するための部位である。側上部１６は、後面部１２の側端部と、前面部１４の側端部とに連結されている。側上部１６は、側下部１８より上に配置されており、側上部１６と側下部１８とは離間した状態で平行に配置されている。
【００２３】
図３及び図４に示される側下部１８は、さまざまな引き出しに用いられる共通の規格品であり、引き出し部２９全体の形状を維持するものである。側下部１８は、側面部１５、１５の下部に配置される部位である。側下部１８は、後面部１２の下端部と、前面部１４の下端部とに連結されている。側上部１６と、側下部１８とは、間隔をおいて配置されているため、その側上部１６と、側下部１８との間から側面部１５、１５側から見て引き出し部２９の内部が視認可能に形成されている。
【００２４】
底面部１９は、図２及び図３に示すように引き出し部２９の底面を形成する部位である。底面部１９は、平面視で矩形状に形成され、断面視で平板状に形成されている。底面部１９の上面には、ゴミ袋７０を保持するためのスタンド５０が配置されている。
【００２５】
図１〜図４に示される引き出し部２９は、前後方向に移動可能であり、側下部１８に内蔵されたスライドレール（図示しない）によってスライドして開閉可能に形成されている。引き出し部２９の収納空間Ｓにゴミ袋７０を設置した場合、ゴミ袋７０は、その口を開口させてゴミ袋７０の内部空間を確保することができる。またゴミ袋７０は、クリップ５６に保持した状態で引き出し部２９を開閉した場合、ゴミ袋７０の内部空間がその開閉と共に移動できる。
【００２６】
引き出し部２９に備えられるスタンド５０は、図１〜図５に示すように引き出し部２９の収納空間Ｓに設置され、線材のフレームを曲げて形成されている。スタンド５０は、後側縦フレーム５２と、前側縦フレーム５３と、側（前後）フレーム５８と、底フレーム５１と、上端（左右）フレーム５４とを備える。
【００２７】
後側縦フレーム５２は、図３〜図５に示すように引き出し部２９の後側（奥側）に配置されると共に、上下方向に棒状に形成され、左右（横）方向に一対互いに離間した状態で平行に配置されている。前側縦フレーム５３は、引き出し部２９の前側（手前側）に配置されると共に、上下方向に棒状に形成され、左右（横）方向に一対互いに離間した状態で略平行に配置されている。側フレーム５８は、前後方向に棒状に形成され、左右に一対互いに離間した状態で略平行に配置されている。側フレーム５８は、引き出し部２９の底面部１９の上面に配置され、引き出し部２９の側面部１５、１５の側下部１８に隣接して配置されている。側フレーム５８は、滑り止め５５を備える。滑り止め５５は、一対の側フレーム５８の各々２個ずつ取り付けられ、各側フレーム５８の前後に１個ずつ取り付けられている。滑り止め５５は、筒状に形成された樹脂製の部材である。底フレーム５１は、左右方向に棒状に形成されている。底フレーム５１の両端は、一対の側フレーム５８の略中央部分に各々連結されている。側フレーム５８と、後側縦フレーム５２及び前側縦フレーム５３とは鈍角に折り曲げられて形成されている。そうすることで、側フレーム５８と、後側縦フレーム５２及び前側縦フレーム５３とが垂直又は鋭角に折り曲げられて形成されている場合よりも、離間して配置された後述する一対の上端フレーム５４の間隔が広くなるように配置されている。
【００２８】
上端フレーム５４は、各フレームのうち主にゴミ袋７０を保持するための部位である。上端フレーム５４は、図３及び図４に示すように引き出し部２９の左右方向の一端側から他端側にかけて連続して形成されている。一方が引き出し部２９の収納空間Ｓの前面部１４側に配置されており、他方が引き出し部２９の収納空間Ｓの後面部１２側に配置されている。即ち、上端フレーム５４は、引き出し部２９の外輪郭の内側に配置されている。なお一対の上端フレーム５４は、本発明の「一対のフレーム部」に相当する。
【００２９】
一対の上端フレーム５４は、図３〜図５に示すように前側フレーム部５４ａと、後側フレーム部５４ｂとを備える。一対の上端フレーム５４は、前側フレーム部５４ａと、後側フレーム部５４ｂとの各フレームが前後に離間した状態で略平行に配置されており、互いに略水平に配置されている。前側フレーム部５４ａは、前面部１４の上端よりも低い位置に配置され、後側フレーム部５４ｂは、後面部１２の上端よりも高い位置に配置されている。また前側フレーム部５４ａは、後側フレーム部５４ｂより低くなるように配置されている。また一対の上端フレーム５４は、ゴミ袋７０を保持するためのクリップ５６を備える。クリップ５６は、一対の上端フレーム５４に各々係合してゴミ袋７０を保持している。ゴミ袋７０は、ゴミを収容するためのものであり、開口するための口を有する袋状のビニール製の部材である。またゴミ袋７０は、ゴミの入れ具合により形状が変更できる。なおゴミ袋７０は、紙製、布製等の他の素材で形成してもよい。なおクリップ５６は、本発明の「ゴミ袋保持部」に相当する。
【００３０】
クリップ５６は、図３〜図７に示すように一対の上端フレーム５４の前側フレーム部５４ａと、後側フレーム部５４ｂとに、各々４つ横並びに配置されている。前後に対向する位置に配置されているクリップ５６により、開口したゴミ袋７０の口の周縁の一端を前側フレーム５４ａへ、開口したゴミ袋７０の口の周縁の他端を後側フレーム部５４ｂへ各々係合して取り付けられる。そうすることで、開口したゴミ袋７０の口を後側よりも前側が下がるようにして、張設しながら、傾斜した状態で保持できる。クリップ５６は、樹脂製の部材であり、長手方向の長さは、１０ｃｍ〜３０ｃｍ程度で形成されている。またクリップ５６は、断面視で略Ｃ字状に形成されている。そのクリップ５６の略Ｃ字状に形成された凹み側は、凹み５６ｃの中央へ案内し易くするためのガイド部５６ｂ、５６ｂが設けられている。ガイド部５６ｂ、５６ｂは、クリップ５６の内部から外部に向けて開口が広くなるように略ハの字の面を形成している。そのガイド部５６ｂ、５６ｂである略ハの字面に上端フレーム５４をあてて、クリップ５６の凹み５６ｃ中央へクリップ５６を弾性変形しながら、嵌め込むことで、係合される。クリップ５６を嵌め込みながらゴミ袋７０を取り付ける場合、上端フレーム５４との間にゴミ袋７０の口の周縁を挟んだ状態で、クリップ５６を係合することで、ゴミ袋７０が保持される。その際には、一対の上端フレーム５４間の内側から外側に向けてゴミ袋７０の口の周縁は、各上端フレーム５４の上側から巻きつけられるようにして保持される。クリップ５６の外周には、その外周方向に間隔を置いて突起５６ａが複数箇所配置されている。突起５６ａは、クリップ５６の長手方向の一端側から他端側までラインを形成するように連続して形成されている。その突起５６ａによって滑り止めの機能を有しており、突起５６ａを持つことでゴミ袋７０が取り外し易くなっている。
【００３１】
第１の実施形態は、以下のような作用効果を奏する。本実施形態の食器棚１において、一対の上端フレーム５４（一対のフレーム部）は、前側フレーム部５４ａ（第一フレーム部）と、後側フレーム部５４ｂ（第二フレーム部）とからなる。またその食器棚１は、クリップ５６（ゴミ袋保持部）により、開口したゴミ袋７０の口の周縁の一端を前側フレーム部５４ａへ、開口したゴミ袋７０の口の周縁の他端を後側フレーム部５４ｂへ各々取り付けることでゴミ袋７０の口を開口させてゴミ袋７０の内部空間を確保した状態でゴミ袋７０を保持する。引き出し部２９は、前後にスライド移動することによって開閉可能であり、引き出し部２９を開閉した場合、ゴミ袋７０の内部空間がその開閉とともに移動できる。そうすることで、ゴミ袋７０の口を開口させてゴミ袋７０の内部空間を確保しクリップ５６に保持した状態で、様々な形や容積のゴミ袋が配置できる。また、フレキシブルに配置可能なゴミ袋が収納空間Ｓいっぱいに広げられて、ゴミ袋７０内の空間部分を確保できる上、引き出しの収納空間Ｓ全体をゴミ収容のために活用できる。
【００３２】
また引き出し部２９は、左右面が開口しているので、ゴミ袋７０が収納空間Ｓからさらに左右方向にはみ出して収納空間Ｓ外部の内部空間２０も活用しながら、ゴミを収容できる。
【００３３】
また引き出し部２９は、左右面が開口しており、その開口の周縁の一部は、前面部１４の上端よりも低い位置に側下部１８を配置することで形成されているので、引き出し部２９の全体の形状を維持しながら、さらに、ゴミ袋７０が収納空間Ｓから左右方向にはみ出して内部空間２０も活用しながら、ゴミを収容できる。
【００３４】
また引き出し部２９が開いた状態で、引き出し部２９の左右面が開口しており、さらに、クリップ５６にゴミ袋７０を取り付けた場合、ゴミ袋７０は引き出し部２９の左右方向から視認可能であるため、ゴミ袋７０を側面から見た場合に、ゴミの量を膨らみ等によって把握し易い。
【００３５】
また引き出し部２９の後面部１２は、後面部１２の上端からさらに上方が開方するように配置されているので、ゴミ袋７０が収納空間Ｓからさらに後（奥）方向にはみ出して収納空間Ｓ外部の内部空間２０も活用しながら、ゴミを収容できる。
【００３６】
この食器棚１では、一対の上端フレーム５４は、引き出し部２９に取り付けられ、引き出し部２９の外輪郭の内側に配置されている。そうすることで、一対の上端フレーム５４が引き出し部２９の収納空間Ｓに配置されているので、食器棚１の内部空間をうまく活用しながらゴミ袋７０を設置できる。
【００３７】
またこの食器棚１では、前側フレーム部５４ａは、引き出し部２９の前側に配置されると共に、後側フレーム部５４ｂは、引き出し部２９の後側に配置されており、前側フレーム部５４ａが後側フレーム部５４ｂより低くなるように配置され、クリップ５６により開口したゴミ袋７０の口の周縁の一端を前側フレーム部５４ａへ、開口したゴミ袋７０の口の周縁の他端を後側フレーム部５４ｂへ各々取り付けることで、ゴミ袋７０の口を張設しながら、傾斜した状態で保持できる。そうすることで、開口したゴミ袋７０の口の周縁の他端を後側フレーム部５４ｂへ各々取り付けることで、ゴミ袋７０の口を張設しながら、傾斜した状態で保持できるので、食器棚１の正面から入れる場合には、前後に張設したゴミ袋７０の口が安定しており、ゴミ袋７０にゴミを捨てやすい。
【００３８】
さらにこの食器棚１では、クリップ５６は、一対の上端フレーム５４の各フレーム部にゴミ袋７０を挟んで係合するためのクリップ部材であり、このクリップ５６によってゴミ袋７０が保持される。そうすることで、クリップ５６によってゴミ袋７０が保持できるので、さらに、ゴミ袋７０の口が安定する。
【００３９】
次に図８及び図９に示される第２の実施形態について説明する。第２の実施形態の食器棚は、特徴とする点は、第１の実施形態におけるスタンド５０及びクリップ５６に対して、図８に示すスタンド８０及びマグネットバー８６に代えた点である。その他構成は、第１の実施形態の食器棚とほぼ同一の基本構成を備えるため、共通の構造は、同一又は対応する符号を付す等して詳細な説明を省略する。このことは、後述する他の変形例においても同様である。
【００４０】
スタンド８０は、図８に示すようにゴミ袋７０を保持するためのものである。スタンド８０は、曲げられた線材のフレームで形成されており、図１〜図４に示される引き出し部２９の底面部１９に載置されて収納空間Ｓに設置される。スタンド８０は、後側縦フレーム８２と、前側縦フレーム８３と、側（前後）フレーム８８と、底フレーム８１と、上端（左右）フレーム８４とを備える。
【００４１】
後側縦フレーム８２は、図１〜図４に示される引き出し部２９の後側（奥側）に配置されると共に、上下方向に棒状に形成され、左右に一対離間して略平行に配置されている。前側縦フレーム８３は、引き出し部２９の前側（手前側）に配置されると共に、上下方向に棒状に形成され、左右に一対離間した状態で略平行に配置されている。側フレーム８８は、前後方向に棒状に形成され、左右に一対離間した状態で略平行に配置されている。側フレーム８８は、引き出し部２９の底面部１９の上面に配置され、引き出し部２９の側面部１５、１５の側下部１８に隣接して配置されている。側フレーム８８は、滑り止め８５を備える。滑り止め８５は、一対の側フレーム８８の各々２個ずつ取り付けられ、各側フレーム８８の前後に１個ずつ取り付けられている。滑り止め８５は、筒状に形成された樹脂製の部材である。底フレーム８１は、左右方向に棒状に形成されている。底フレーム８１の両端は、一対の側フレーム８８の略中央部分に各々連結されている。側フレーム８８と、後側縦フレーム８２及び前側縦フレーム８３とは略垂直に折り曲げられて形成されている。それに伴い後側縦フレーム８２と、前側縦フレーム８３とは、略平行に配置されている。
【００４２】
上端フレーム８４は、各フレームのうち主にゴミ袋７０を保持するための部位である。上端フレーム８４は、図１〜図４に示される引き出し部２９の左右方向の一端側から他端側にかけて連続して形成されている。上端フレーム８４は、一対配置されている。上端フレーム８４は、一方が引き出し部２９の収納空間Ｓの前面部１４側に配置されており、他方が引き出し部２９の収納空間Ｓの後面部１２側に配置されている。即ち、上端フレーム８４は、引き出し部２９の外輪郭の内側に配置されている。なお一対の上端フレーム８４は、本発明の「一対のフレーム部」に相当する。
【００４３】
一対の上端フレーム８４は、図８に示すように前側フレーム部８４ａと、後側フレーム部８４ｂとを備える。一対の上端フレーム８４は、マグネットがつく金属製の材料で構成されている。一対の上端フレーム８４は、前側フレーム部８４ａと、後側フレーム部８４ｂとの各フレームが前後に略平行に配置されており、互いに略水平に配置されている。前側フレーム部８４ａは、前面部１４の上端よりも低い位置に配置され、後側フレーム部８４ｂは、後面部１２の上端よりも高い位置に配置されている。また前側フレーム部８４ａは、後側フレーム部８４ｂより低くなるように配置されている。また一対の上端フレーム８４は、ゴミ袋７０を保持するためのマグネットバー８６を備える。なおマグネットバー８６は、本発明の「ゴミ袋保持部」に相当する。
【００４４】
マグネットバー８６は、図８及び図９に示すように前側フレーム部８４ａと、後側フレーム部８４ｂとに、各々４つ横並びに配置されている。前後に対向する位置に配置されているマグネットバー８６により、開口したゴミ袋７０の口の周縁の一端を前側フレーム部８４ａへ、開口したゴミ袋７０の口の周縁の他端を後側フレーム部８４ｂへ各々接合して取り付けることで、ゴミ袋７０の口を張設しながら、傾斜した状態で保持できる。マグネットバー８６は、棒状に形成されたマグネット８６ｂを有する部材であり、長手方向の長さは、１０ｃｍ〜３０ｃｍ程度で形成されている。またマグネットバー８６は、断面視で略台形状に形成されている。マグネットバー８６は、一対の上端フレーム８４にゴミ袋７０を間に挟んだ状態で、各々接合してゴミ袋７０を保持する。マグネットバー８６の外周の１面は、マグネット８６ｂが配置されている。そのマグネット８６ｂは、マグネットバー８６の凹部に埋め込まれて形成されており、マグネットバー８６の長手方向の一端側から他端側にかけて連続して配置されている。マグネット８６ｂは、マグネットバー８６の長手方向の長さと略同じに長さで形成されている。このマグネット８６ｂが埋め込まれた側の面に隣接したマグネットバー８６の外周の２辺（２面）は、突起８６ａがマグネットバー８６の外周に間隔をおいて複数箇所配置されている。突起８６ａは、マグネットバー８６の長手方向の一端側から他端側までラインを形成するように連続して形成されている。その突起８６ａによって滑り止めの機能を有しており、ゴミ袋７０が取り外し易くなっている。
【００４５】
第２の実施形態は、以下のような作用効果を奏する。この食器棚１では、マグネットバー８６は、一対の上端フレーム８４の各フレーム部（前側フレーム８４及び後側フレーム部８４ｂ）にゴミ袋７０を挟んで接合するためのマグネット部材であり、このマグネット部材によってゴミ袋７０が保持される。そうすることで、マグネット部材によってゴミ袋７０が保持できるので、ゴミ袋７０の口が安定する上、ゴミ袋７０を取り付け取り外しが容易になる。
【００４６】
次に図１０及び図１１に示される変形例１について説明する。変形例１の上端フレーム９４は、主にゴミ袋７０を保持するための部位であり、本発明の「一対のフレーム部」に相当する。上端フレーム９４は、引き出し部２９の左右（横）方向の一端側から他端側にかけて連続して形成されている。上端フレーム９４は、薄い平板状に形成された細長い部材である。上端フレーム９４は、一方が引き出し部２９の前面部１４の後（裏）面の上部（上端）に配置されており、他方が引き出し部２９の後面部１２の上端（上面）に配置されている。
【００４７】
一対の上端フレーム９４は、図１０及び図１１に示すように前側フレーム部９４ａと、後側フレーム部９４ｂとを備える。一対の上端フレーム９４は、前側フレーム部９４ａと、後側フレーム部９４ｂとの各フレームが前後に離間した状態で略平行に配置されており、互いに略水平に配置されている。
【００４８】
前側フレーム部９４ａは、図１０及び図１１に示すように前面部１４の上端よりも低い位置に配置されている。前側フレーム部９４ａ（上端フレーム９４）は、雄ねじ９４ｃによって取り付けられている。前面部１４の裏面は、孔１４ｂを有しており、雌ねじ９４ｄがその孔１４ｂに埋め込まれる。雌ねじ９４ｄに前側フレーム９４ａを接合するための雄ねじ９４ｃを螺合し、前側フレーム９４ａを挟んで雌ねじ９４ｄと雄ねじ９４ｃとで固定されている。
【００４９】
後側フレーム部９４ｂは、図１０及び図１１に示すように後面部１２の上端（上面）に配置されている。後側フレーム部９４ｂ（上端フレーム９４）は、雄ねじ９４ｃによって取り付けられている。後面部１２の上端は、孔１２ｂを有しており、雌ねじ９４ｄがその孔１２ｂに埋め込まれる。雌ねじ９４ｄに後側フレーム部９４ｂを接合するための雄ねじ９４ｃを螺合し、後側フレーム部９４ｂを挟んで雌ねじ９４ｄと雄ねじ９４ｃとで固定されている。また前側フレーム部９４ａは、後側フレーム部９４ｂより高くなるように配置されている。また一対の上端フレーム９４は、ゴミ袋７０を保持するためのマグネットバー８６を備える。マグネットバー８６は、一対の上端フレーム９４に各々接合してゴミ袋７０を保持している。
【００５０】
マグネットバー８６は、図１０及び図１１に示すように前側フレーム部９４ａと、後側フレーム部９４ｂとに、各々４つ横並びに配置されている。前後に対向する位置に配置されているマグネットバー８６により、開口したゴミ袋７０の口の周縁の一端を前側フレーム部９４ａへ、開口したゴミ袋７０の口の周縁の他端を後側フレーム部９４ｂへ各々接合して取り付けることで、ゴミ袋７０の口を張設しながら、前側から後側に向けて、開口したゴミ袋７０の口を前側よりも後側が下がるようにして、傾斜した状態で保持できる。
【００５１】
変形例１は、以下のような作用効果を奏する。一対の上端フレーム９４は、引き出し部２９の前面部１４と、引き出し部２９の後面部１２に直接取り付けられているため、ゴミ袋７０を設置するための部材の設置するスペースを削減することができる。
【００５２】
次に図１２及び図１３に示される変形例２について説明する。変形例２の引き出し部２９ａの側面部１５ａ、１５ａは、丸筒状かつ線状の部材で形成される側上部１６ａと、板状の部材で形成される側下部１８ａとを備える。
【００５３】
側下部１８ａは、図１２に示すように側面部１５ａ、１５ａの下部に配置される部位である。側下部１８ａは、後面部１２ａの下端部と、前面部１４ａの下端部とに連結されている。
【００５４】
側上部１６ａは、図１２に示すように側面部１５ａ、１５ａの上部に配置される部位である。側上部１６ａは、引き出し部２９ａの形状を維持し補強するための部位である。側上部１６ａは、後面部１２ａの上端部と、前面部１４ａの上端部とに連結されている。側上部１６ａは、側下部１８ａより上に配置されており、側上部１６ａと側下部１８ａとは平行に配置されている。側上部１６ａと、側下部１８ａとは、間隔をおいて配置されているため、その側上部１６ａと、側下部１８ａとの間から側面部１５ａ、１５ａ側から見て引き出し部２９ａの内部が視認可能に形成されている。側上部１６ａ、１６ａの長手方向の前端部と、側上部１６ａ、１６ａの長手方向の後端部との各々に上端フレーム１０４が取り付けられている。なお上端フレーム１０４は、本発明の「一対のフレーム部」に相当する。
【００５５】
上端フレーム１０４は、図１２に示すように引き出し部２９ａの左右方向の一端側から他端側にかけて連続して形成された部材である。上端フレーム１０４は、円筒状で棒状に形成された線状の部材であり、前後に一対配置されている。上端フレーム１０４は、一方が引き出し部２９ａの前面部１４ａ側の収納空間Ｓａに配置されており、他方が引き出し部２９ａの後面部１２ａ側の収納空間Ｓａに配置されている。即ち、上端フレーム１０４は、引き出し部２９ａの外輪郭の内側に配置されている。
【００５６】
一対の上端フレーム１０４は、図１２及び図１３に示すように前側フレーム部１０４ａと、後側フレーム部１０４ｂとを備える。一対の上端フレーム１０４は、前側フレーム部１０４ａと、後側フレーム部１０４ｂとの各フレームが前後に離間した状態で略平行に配置されており、互いに略水平に配置されている。前側フレーム部１０４ａは、前面部１４ａの上端よりも低い位置に配置され、後側フレーム部１０４ｂは、後面部１２ａの略上端に配置されている。また前側フレーム部１０４ａは、後側フレーム部１０４ｂと略同じ高さになるように配置されている。また一対の上端フレーム１０４は、ゴミ袋７０を保持するためのクリップ５６を備える。クリップ５６は、一対の上端フレーム１０４に各々係合してゴミ袋７０を保持している。クリップ５６によってゴミ袋７０が係合され、引き出し部２９ａの収納空間Ｓで、横並びに４つのゴミ袋７０が配置される。
【００５７】
次に図１４に示される別例について説明する。別例のクリップ５６０は、樹脂製の部材であり、長手方向の長さは、１０ｃｍ〜３０ｃｍ程度で形成されている。またクリップ５６０は、断面視で略Ｈ字状に形成されている。クリップ５６０は、凹部５６０ｃ、５６０ｄを有する。凹部５６０ｃは、一対の上端フレーム５４（１０４）の各部位に、凹部５６０ｃと、各上端フレーム５４の外周との間にゴミ袋７０を挟んで係合し、ゴミ袋７０を保持するために設けられた部位である。凹部５６０ｄは、人が握った際に、その凹みの幅を狭くしながら、クリップ５６０を取り外すために設けられたものである。その幅を狭くするための握り部５６０ｂは、クリップ５６０の凹部５６０ｄ側に設けられている。握り部５６０ｂは、クリップ５６０の略Ｈ字状に形成された一端側の２箇所の部位であり、その部位は、略ハの字で形成されている。クリップ５６０は、凹部５６０ｃにより挟んで係合されたゴミ袋７０を取り外す場合、クリップ５６０の凹部５６０ｄ側に形成された握り部５６０ｂを人が握ることで、凹部５６０ｄの間隔が狭くなると同時に、凹部５６０ｃの間隔が広くなり、ゴミ袋７０の係合された状態が解除されて上端フレーム５４から取り外すことができる。クリップ５６０の外周には、その外周に沿って突起５６０ａが複数箇所配置されている。これらの突起５６０ａは、クリップ５６０の長手方向の一端側から他端側までラインを形成するように連続して形成されている。その突起５６０ａによって滑り止めの機能を有しており、その部位を持つことによってゴミ袋７０が取り外し易くなっている。なおクリップ５６０は、本願特許請求の範囲の「ゴミ袋保持部」に相当する。
【００５８】
別例は、以下のような作用効果を奏する。クリップ５６０は、ゴミ袋７０を一対の上端フレーム５４（１０４）に係合するための凹部５６０ｃと、ゴミ袋７０を一対の上端フレーム５４に係合された状態を解除するための凹部５６０ｄを有する。そうすることで、クリップ５６０は、凹部５６０ｃにより挟んで係合されたゴミ袋７０を取り外す場合、クリップ５６０の凹部５６０ｄ側の握り部５６０ｂを人が握ることで、ゴミ袋７０の係合された状態が解除されて、上端フレーム５４から取り外すことができる。
【００５９】
またクリップ５６０の握り部５６０ｂの外周面は、突起５６０ａを有する。そうすることで、クリップ５６０の握り部５６０ｂを人が握ることで、ゴミ袋７０の係合された状態を解除する場合に、滑らないで上端フレーム５４から取り外しができる。
【００６０】
本発明の食器棚は、上記の実施形態に限定されるものではなく他の形態でも実施できる。本実施形態では、食器棚１を適用したがこれに限られるものではない。引き出しを有していれば、下部収納部に手前側が開方しているオープンタイプの食器棚、テーブル等により物を置く場所を設けない収納に特化したトールタイプの食器棚等他の食器棚に適用してもよい。
【００６１】
また本実施形態の食器棚の引き出し部２９、２９ａは、下部収納部２、２ａに配置して適用したがこれらに限られるものではない。食器棚の上下方向の中央部に設けられた収納部や食器棚の上部に設けられた収納部に配置してもよい。また、他の形態として、引き出し部２９（引き出し部２９ａ）隣接して、引き出し部２１、２３、２５がないタイプや、引き出し部２９の左右両側に隣接して、引き出し部を設けて、隣接した一端側を引き出し部２１、２３、２５とし、隣接した他端側を引き出し部２１ｂ、２３ｂ、２５ｂとして配置してもよい。
【００６２】
また本実施形態の食器棚の引き出し部２９、２９ａは、その後（奥）側に配置される後面部１２、１２ａの上端から、さらに上方が開方されるように配置されているがこれらに限られものではない。後面部１２、１２ａに開口を設けて、さらに、収納空間よりさらに奥の内部空間を活用してゴミ袋７０をはみ出して活用できるようにしてもよい。
【符号の説明】
【００６３】
１     食器棚
２     下部収納部
２ａ   下部収納部
３     上部収納部
５     テーブル
７     壁面
９     奥壁面部
１２   後面部
１２ａ 後面部
１２ｂ 孔
１３   取っ手
１４   前面部
１４ａ 前面部
１４ｂ 孔
１５   側面部
１５ａ 側面部
１６   側上部
１６ａ 側上部
１８   側下部
１８ａ 側下部
１９   底面部
２１   引き出し部
２３   引き出し部
２５   引き出し部
２７   引き出し部
２９   引き出し部
２９ａ 引き出し部
３２   引き戸
３４   上部収納用底板
５０   スタンド
５１   底フレーム
５２   後側縦フレーム
５３   前側縦フレーム
５４   上端フレーム
５５   滑り止め
５４ａ 前側フレーム部
５４ｂ 後側フレーム部
５６   クリップ
５６ａ 突起
５６ｂ ガイド部
５６ｃ 凹み
５８   側フレーム
７０   ゴミ袋
８０   スタンド
８１   底フレーム
８２   後側縦フレーム
８３   前側縦フレーム
８４   上端フレーム
８４ａ 前側フレーム部
８４ｂ 後側フレーム部
８５   滑り止め
８６   マグネットバー
８６ａ 突起
８６ｂ マグネット
８８   側フレーム
９４   上端フレーム
９４ａ 前側フレーム部
９４ｂ 後側フレーム部
１０４        上端フレーム
１０４ａ      前側フレーム部
１０４ｂ      後側フレーム部
５６０        クリップ
５６０ａ      突起
５６０ｂ      握り部
５６０ｃ      凹部
５６０ｄ      凹部
Ｓ            収納空間
Ｓａ          収納空間
【図１】
2016135706.tif 000003
【図２】
2016135706.tif 000004
【図３】
2016135706.tif 000005
【図４】
2016135706.tif 000006
【図５】
2016135706.tif 000007
【図６】
2016135706.tif 000008
【図７】
2016135706.tif 000009
【図８】
2016135706.tif 000010
【図９】
2016135706.tif 000011
【図１０】
2016135706.tif 000012
【図１１】
2016135706.tif 000013
【図１２】
2016135706.tif 000014
【図１３】
2016135706.tif 000015
【図１４】
2016135706.tif 000016